(57)【要約】【課題】  光の方向を容易に調整できるようにする。【解決手段】  ハウジングは発光ダイオード（ＬＥＤ）を収容するように配列され、かつＬＥＤの発光し得る波長に対して少なくも部分的に透明である。位置決め用ベースは、開口の設けられた前側を有し、かつハウジングの球状外面部分を回転可能に支持するように配列される。位置決め用ベースの前側は、凹所のある前面を持つ。凹所は、ハウジングの向きを確り保持できるような方法で環状リングを受け入れるように配列される。【選択図】  図１
2008021615.tif 000002
【特許請求の範囲】
【請求項１】
−一部分が球状の外面を有するハウジングであって、少なくも１個の発光ダイオード（    ＬＥＤ）を受け入れるように配列されかつ少なくも１個のＬＥＤが放出し得る波長に    対して少なくも部分的に透明である前記ハウジング；
−開口の設けられた前側を備えた位置決め用ベースであって、前記ハウジングの球状の    外面を回転可能に支持するように配列された前記位置決め用ベース；及び
−環状リング
を備え、
前記前側が、ハウジングの向きを確り保持できるように前記環状リングを受け入れるように配列された凹所を備えている前面を持つ
照明器具。
【請求項２】
前記位置決め用器具が前記開口内に設けられた保持用カップを備え、前記保持用カップがハウジングの球状の外面部分を回転可能に支持するように配列された側壁を備える請求項１による照明器具。
【請求項３】
前記保持用カップが前記位置決め用ベースの一体の部分である請求項２による照明器具。
【請求項４】
前記照明器具は、ハウジングの部分が穴を通って伸びるような穴の設けられたカバー板を更に備える請求項１による照明器具。
【請求項５】
前記照明器具が電力供給部を更に備える請求項１による照明器具。
【請求項６】
前記少なくも１個のＬＥＤが複数個のＬＥＤであり、前記複数個ののＬＥＤが少なくも２形式のＬＥＤよりなり、各形式のＬＥＤが異なる色を光を出すように配列された請求項１による照明器具。
【請求項７】
調整可能な方向における光を出すハウジングであって：
−発光側と非発光側とを有する少なくも１個の発光ダイオード（ＬＥＤ）；
−内面と外面とを有しかつ少なくも１個のＬＥＤを受け入れるように配列された円筒状    構造であって、少なくも１個のＬＥＤの非発光側に空洞が形成されるように少なくも    １個のＬＥＤの非発光側より先に伸びている円筒状構造
を備え、
少なくも１個のＬＥＤの発光側において、前記ハウジングの少なくも一部分が、球状の外面を有しかつ少なくも１個のＬＥＤの発光し得る波長に対して透明である
前記ハウジング。
【請求項８】
空洞が、少なくも１個のＬＥＤを電力供給部と接続するための電気接続を収容するように配列される請求項７によるハウジング。
【請求項９】
前記配列が電気接続を収容することを確立するように、前記空洞が樹脂で満たされる請求項８によるハウジング。
【請求項１０】
前記円筒状構造の前記内面が、少なくも１個のＬＥＤの発し得る光に対して反射する請求項７によるハウジング。
【請求項１１】
請求項７によるハウジングの製造方法であって：
−発光側と非発光側とを有する少なくも１個の発光ダイオード（ＬＥＤ）を準備し；
−円筒状構造を準備し；
−少なくも１個のＬＥＤの非発光側に空洞が形成されるように円筒状構造が前記少なく    も１個のＬＥＤの非発光側より先の伸びるように前記円筒状構造内に少なくも１個の    ＬＥＤを位置決めし；
−成型の際に円筒状構造と前記少なくも１個のＬＥＤとを位置決めし；
−ハウジングを形成する成型の際に前記少なくも１個のＬＥＤの発光側に層を形成し、    前記層は少なくも１個のＬＥＤの発光し得る光に対して少なくも部分的に透明な材料    のものでありかつ前記ハウジングの少なくも一部分が球状の外面を持つ
諸段階を含む前記方法。
【請求項１２】
方法が、前記少なくも１個のＬＥＤと電力供給部との間の電気接続を収容するように配列することを更に含む請求項１１による方法。
【請求項１３】
前記空洞を樹脂で満たすことにより電気接続を収容する請求項１２による方法。
【発明の詳細な説明】
【技術分野】
【０００１】
本発明は、回転可能に取り付けられた少なくも１個の発光ダイオード（ＬＥＤ）を備えている照明器具に関する。一般にＬＥＤは照明器具に固定される。これから出る光の方向は、照明器具の位置決めにより固定される。しかし、多くの状況においては、照明器具の位置決め後、この照明器具の位置を変えることなく光の方向を調整することが望ましい。
【背景技術】
【０００２】
特許文献１は、検知器の方向に赤外線を放射するように調整された回転可能なＬＥＤ配列を明らかにする。この回転可能なＬＥＤ配列は、特別に開発された室内にＬＥＤ部材を保持するためのハウジングを備える。ハウジングは、適切に調整された位置決め用ベース内で回転し得る部分的に球状の部分を備える。ＬＥＤは、円錐状の赤外線カバー区域を形成する赤外線を放射する。回転可能なＬＥＤ配列は、位置変化検知器に軌跡を追跡するように容易にこれを調整することができる。
【特許文献１】米国特許第６，３１５，４３２号  明細書
【発明の開示】
【発明が解決しようとする課題】
【０００３】
特許文献１の器具は、ＬＥＤ配列から放射される光の方向を容易に調整可能とするため、外部の影響、例えば通過する人との予期しない接触に対して強くない。
【課題を解決するための手段】
【０００４】
光を放射する方向が、現在入手可能な照明器具より外部の影響に対して強い回転可能なＬＥＤを備えた照明器具の提供が望まれる。
【０００５】
このために、本発明は、一実施例において
−一部分が球状の外面を有するハウジングであって、少なくも１個の発光ダイオード（    ＬＥＤ）を受け入れるように配列されかつ少なくも１個のＬＥＤが放出し得る波長に    対して少なくも部分的に透明である前記ハウジング；
−開口の設けられた前側を備えた位置決め用ベースであって、ハウジングの球状の外面    を回転可能に支持するように配列された前記位置決め用ベース；及び
−環状リング
を備え、
前側は、ハウジングの向きを確り保持できるように環状リングを受け入れるように配列された凹所を備えている前面を持つ
照明器具を提供する。
【０００６】
本発明は、更に、一実施例において、調整可能な方向における光を出すハウジングであって：
−発光側と非発光側とを有する少なくも１個の発光ダイオード（ＬＥＤ）；
−内面と外面とを有しかつ少なくも１個のＬＥＤを受け入れるように配列された円筒状    構造であって、少なくも１個のＬＥＤの非発光側に空洞が形成されるように少なくも    １個のＬＥＤの非発光側より先に伸びている円筒状構造
を備え、
少なくも１個のＬＥＤの発光側において、ハウジングの少なくも一部分が、球状の外面を有しかつ少なくも１個のＬＥＤの発光し得る波長に対して透明である
前記ハウジングに関係する。
【０００７】
最後の本発明は、一実施例において、かかるハウジングの製造方法であって：
−発光側と非発光側とを有する少なくも１個の発光ダイオード（ＬＥＤ）を準備し；
−円筒状構造を準備し；
−少なくも１個のＬＥＤの非発光側に空洞が形成されるように円筒状構造が前記少なく    も１個のＬＥＤの非発光側より先の伸びるように前記円筒状構造内に少なくも１個の    ＬＥＤを位置決めし；
−成型の際に円筒状構造と前記少なくも１個のＬＥＤとを位置決めし；
−ハウジングを形成する成型の際に前記少なくも１個のＬＥＤの発光側に層を形成し、    前記層は少なくも１個のＬＥＤの発光し得る光に対して少なくも部分的に透明な材料    のものでありかつ前記ハウジングの少なくも一部分が球状の外面を持つ
諸段階を含む方法に関連する。
【発明を実施するための最良の形態】
【０００８】
対応する符号が対応する部分を示す付属図面を参照し、例示の方法により本発明の実施例を説明することとする。
【０００９】
図１は、本発明の実施例による照明器具の分解図を図式的に示す。この照明器具は、一部分が球状の外面を有するハウジング１、位置決め用ベース２、及び環状リング３を備える。ハウジング１は、少なくも１個の発光ダイオード（ＬＥＤ）５を受け入れるように配列され、更に少なくも１個のＬＥＤ５が発光し得る波長に対して少なくも部分的に透明である。位置決め用ベース２は、開口７の設けられた前側を備える。位置決め用ベース２は、ハウジング１の球状の外面を回転可能に支持するように配列される。位置決め用ベース２の前側は、ハウジング１の向きを確りと保持し得るような方法で前記環状リング３を受け入れるように配列された凹所８を備えた前面を持つ。
【００１０】
図１に図式的に示された実施例においては、位置決め用ベース２は、保持用カップ１０を更に備える。保持用カップ１０は、開口７内に設けられ、そしてハウジング１の球状の外面部分を回転可能に支持するように配列された側壁を備える。この方法において、ハウジング１は、ハウジング１が位置決め用ベース２の前側により支持される状況と比較して、位置決め用ベース２によってより内側で支持することができる。このより内側の支持により、外部的損傷又は同等に対するハウジング１の傷付き易さを減らすことができる。
【００１１】
図１に図式的に示された実施例においては、照明器具は、更にカバー板４を備える。このカバー板は、例えばネジ１４、（六角）ボルトなどの手段により位置決め用ベース２に連結することができ、またこのために適切な穴１３を設けることができる。カバー板４はステンレス鋼で作ることができる。カバー板４は、環状リング３の手段によりハウジング１の確りと定められた向きを保持することができる。同様に、位置決め用ベース２は、前述の連結の可能性を容易にするために、これに穴１１を設けることができる。カバー板４は、位置決め用ベース２に連結されたときにハウジング１との接触を避けるに十分に大きい直径を持った開口１５を備える。
【００１２】
少なくも１個のＬＥＤ５は、電気接続、例えば電気コード１７を介して、電力供給部、例えば電源に接続することができる。電力供給部は、位置決め用ベース２内に設けられた例えば電池、太陽電池などとすることができ、或いは外部電源とすることができる。
【００１３】
１個以上のＬＥＤ５がある場合は、ハウジング１は複数個のＬＥＤ５を備え、この複数個のＬＥＤは異なった形式のＬＥＤを含むことができる。例えば、一実施例においては、複数個のＬＥＤは、各形式のＬＥＤが異なった色を光を放射するようにされた少なくも２種の異なった形式のＬＥＤを備える。一実施例においては、青色ＬＥＤ、即ち４５０から４９０ｎｍの間の波長の光を放射するようにされたＬＥＤ、赤色ＬＥＤ、即ち６００から６５０ｎｍの間の波長の光を放射するようにされたＬＥＤ、及び緑色ＬＥＤ、即ち５００から５５０ｎｍの間の波長の光を放射するようにされたＬＥＤの適切な配列により、白色光を形成することができる。
【００１４】
図２は、図１の照明器具の断面を図式的に示す。見られるように、この実施例においては、位置決め用ベース２は数個の追加の空洞部を備え、これらは、位置決め用ベース２の重量を減らし、かつ追加の構成要素、例えば電池のような電源を収容するための追加の空間を提供する。位置決め用ベース２は、射出成型法にような本技術において知られた技術により製造することができる。
【００１５】
一実施例においては、保持用カップ１０は、図２に示されるように位置決め用ベース２の一体部分とすることができる。しかし、保持用カップ１０は、例えば適切な種類の接着剤の使用により位置決め用ベース２に取り付けられる分離部材とすることもできる。
【００１６】
ハウジング１は、少なくも１個のＬＥＤ５、この場合は複数個のＬＥＤ５を備える。複数個のＬＥＤは、これらを円筒状構造２０内に位置決めすることができる。円筒状構造はプラスチックとすることができ、そしてその内面、即ち複数個のＬＥＤ５に面する表面には、反射コーティングを設けることができる。この反射コーティングは、複数個のＬＥＤから放射され円筒状構造２０の内面、特にハウジング１の球状外面部分のために反射された光を集め、ハウジング１の向きにより決定された方向における束として放射する。円筒状構造２０とハウジング１の球状外面部分との間の距離が、束の広がりに影響を与える。そこで、ハウジング１の大きさが一定の場合は、円筒状構造２０の高さの減少がより広い光の束を生じ、束の光路にわたり少なくも部分的に透明であるハウジング１を提供するであろう。円筒状構造２０は、創造的な照明効果を提供するために穴（図示せず）を設けることができる。円筒状構造は、ハウジング１の球状外面部分を形成している透明材料で覆うことができる。透明材料はポリカーボネートとすることができる。
【００１７】
円筒状構造２０は、空洞２２を残すように複数個のＬＥＤ５の非放射側、図２において下側を越えて延ばすことができる。空洞２２は、複数個のＬＥＤと電力供給部との電気接続、例えば電気コード１７を収容する。図２に示された実施例においては、電力供給部は外部電力供給源である。空洞２２は、固定用材料、例えば適切な形式の（２成分）樹脂で満たすことができる。固定用材料は、複数個のＬＥＤと電力供給部との電気接続、例えば電気コード１７が、ハウジング１の方向変更の際に捩られ及び／又は曲げられることの無いように保護する。かかる捩り及び／又は曲げは電気接続の劣化を導き、そして最終的には前述の電気接続を中絶させることさえある。
【００１８】
図１及び２に示された照明器具は舗道、駐車場又は同様な場所における設置に適している。或いは、この照明器具は、別の用途における使用に対して別の形状を持つことができる。例えば、ランプを形成するように位置決め用ベースを長くし、或いは柱又は同等物の上に置くことができる。別の用途においては、位置決め用ベース２は、壁面又は別の垂直構造に取り付け得るように配列される。
【００１９】
図２に図式的に示されたようなハウジング１は、成型の手段により製造することができる。少なくも１個のＬＥＤ５及び円筒状構造２０を調製した後、少なく１個のＬＥＤ５は、空洞２２が形成されるような方法で円筒状構造２０内に位置決めされる。続いて、少なく１個ＬＥＤの放出側において、円筒状構造２０と少なく１個のＬＥＤとの前述の組み合わせは、少なくも１個のＬＥＤ５が放射し得る光に対して少なくも部分的に透明な材料の層で覆われる。ハウジング１の球状の外面を提供するために、前述の被覆作業は、本技術熟練者により理解されるであろうように、成型により実行することができる。一実施例においては、層の材料は適切なポリカーボネートである。少なくも１個のＬＥＤ５の非放出側において、空洞２２内に電気接続、例えば電気コード１７を受け入れることにより電気接続を確立させることができる。一実施例においては、空洞は適切な樹脂で満たされ、この接続を強化し、即ち電気接続、例えば電気コード１７の捩れ及び／又は曲げに関連する危険が最小にされる。
【００２０】
以上の記述は、説明を意図したものであり、本発明を限定するものではない。これは、本発明の多くの可能な実施例を説明しただけである。本発明の範囲内に帰する多くの別の実施例を考えつくことが容易に認められる。即ち、特許請求の範囲から離れることなく説明された本発明に対して変更をなし得ることが、本技術熟練者に認められるであろう。
【図面の簡単な説明】
【００２１】
【図１】本発明の一実施例による照明器具の分解図を図式的に示す。
【図２】図１の照明器具の断面を図式的に示す。
【符号の説明】
【００２２】
１  ハウジング
２  位置決め用ベース
３  環状リング
５  ＬＥＤ
７  開口
８  凹所
１０  保持用カップ
【図１】
2008021615.tif 000003
【図２】
2008021615.tif 000004